(57)【要約】【課題】  従来、採石場、鉱山等で作業する車輌のタイヤのサイドウォール部は、路面の砕石や突起物との接触で破損する場合が多い（特にラジアルタイヤ）。タイヤメーカーは、サイドカット防止のため、サイド部のゴムを厚くするか、又は、ゴムから成るサイドプロテクターや、スチールコード層を設けてタイヤのサイドウォール部の保護をしてきた。しかし、タイヤ販売業者では、サイドカットを防止するための対応方法がなかった。【解決手段】  本発明は、内外側サイドウォール部のみの強化技術であり、補強体は、車輌にタイヤを装着したまま、簡易、かつ瞬時に、タイヤ販売業者が、内外側サイドウォール部のみに取付けでき、かつ低コストで行うことができる。スチールコードと磁性材とを利用し、補強体を、内外側サイドウォール部に取付けできる大型車輌用のタイヤの構造。【選択図】      図１−１
2018070051.tif 000002
【特許請求の範囲】
【請求項１】
工事用・建機用・産業用・搬送用車輌のタイヤのサイドウォール部に補強ゴム板、補強鋼板、補強樹脂板でなる補強体を取付ける構造であって、
前記補強体に設けた磁性材でなる被固定手段と、
前記タイヤに配設された金属材でなる固定手段と、を備えており、
前記被固定手段を、前記固定手段に磁着し、少なくとも、前記外側サイドウォール部に取付けた前記補強体は、少なくとも、前記外側サイドウォール部のみを保護可能であることと、前記補強体は、前記車輌に前記タイヤを装着状態でも、前記サイドウォール部の、少なくとも、外側に着脱可能とすることを特徴とした工事用・建機用・産業用・搬送用車輌のタイヤのサイドウォール部に補強体を取付ける構造。
【請求項２】
前記固定手段は、前記タイヤのカーカス構成部材のスチールコードであって、少なくとも、前記外側サイドウォール部に配設する請求項１に記載の工事用・建機用・産業用・搬送用車輌のタイヤのサイドウォール部に補強体を取付ける構造。
【請求項３】
前記固定手段は、前記タイヤ内部のカーカス構成部材のスチールコードであって、前記タイヤのショルダー部、及び／又は、少なくとも、前記外側サイドウォール部に配設する請求項１に記載の工事用・建機用・産業用・搬送用車輌のタイヤのサイドウォール部に補強体を取付ける構造。
【請求項４】
前記被固定手段は、前記補強体に設けたゴム磁石、又は金属磁石とする請求項１に記載の工事用・建機用・産業用・搬送用車輌のタイヤの、少なくとも、前記外側サイドウォール部に補強体を取付ける構造。
【請求項５】
前記被固定手段は、前記補強体の内側に設けたゴム磁石、又は金属磁石とする請求項１に記載の工事用・建機用・産業用・搬送用車輌のタイヤの、少なくとも、前記外側サイドウォール部に補強体を取付ける構造。
【請求項６】
前記被固定手段は、前記補強体の外側に設けたゴム磁石、又は金属磁石とする請求項１に記載の工事用・建機用・産業用・搬送用車輌のタイヤ、少なくとも、前記外側サイドウォール部に補強体を取付ける構造。
【発明の詳細な説明】
【技術分野】
【０００１】
本発明は、工事用・建機用・産業用・搬送用・農業用等の車輌のタイヤのサイドウォール部に補強体を取付ける構造に関する。特に、本発明は、工事用・建機用・産業用・搬送用の大型と、その建機用・産業用・搬送用の中型等の車輌に関する。
【背景技術】
【０００２】
従来、採石場、鉱山、トンネル工事現場等で作業する車輌のタイヤのサイドウォール部は、路面の砕石や突起物、工場内の鋳造品、鉄骨等の突起物、農地の道具、石等の突起物、土木工事等のコンクリート（片）、釘等の突起物、その他主として鋭利箇所とか角部等への、接触・乗上等により、破損（主として、タイヤの内外側におけるサイドカット損傷）が多い（特にラジアルタイヤ）のが現況である。そこで、タイヤメーカーは、サイドカット損傷防止のため、サイド部のゴムを厚くするか、又は、ゴムから成るサイドプロテクターやスチールコード層を設けて、タイヤのサイドウォール部の保護をしてきた（サイドカット損傷防止である）。
【０００３】
また、近年では、トレッド部とショルダー部の外表面の角度、ショルダー部とサイドウォール部の外表面の角度を工夫する技術が開示されている（例えば、特開２０１１−１１１００３号公報）。しかしながら、まだサイドカットを確実に防ぐことはできない。また、本発明が意図する、例えば、タイヤ販売業者が、特段の手段を要することなく、かつ簡便で、しかも容易に実施できるサイドウォール部（部位）強化技術（補強体）が要望される処である。
【０００４】
前記本発明の補強体として望まれる構造であって、例えば、タイヤ販売業者が、車輌にタイヤ（既設のタイヤであり、例えば、新品、使用済み等のタイヤである）を装着したままでも（装着した場合と、タイヤを取外した場合等の全ての状態のタイヤを含む）、簡易、かつ瞬時に、内外側サイドウォール部に取付けできて、かつ低コストで行うことのできる内外側サイドウォール部の強化技術に関する先行文献として、下記の二件が挙げられる。
【０００５】
文献（１）は、タイヤ径方向に沿って放射状に配置された複数の金属製のカーカスコードを有するカーカス層に、マグネット層を備えたタイヤ内デバイス固定装置を、タイヤの内面（インナーライナー部）に固定する構造であり、特開２０１６−１４４９５５号公報に記載されている。この文献（１）は、タイヤの内面に装置を取付けるものであって、測定具を備えたタイヤである。従って、本発明が意図する、「補強体を、内外側サイドウォール部に取付ける構造と、内外側サイドウォール部の強化技術の達成」とは、全く異なる。
【０００６】
文献（２）は、トレッド部を構成する金属性の部材（ベルトのスチールコード）に、マグネット層を備えた吸音材を、タイヤの内面（トレッド部の内面）に固定する構造であり、特開２０１０−１８８７７９号公報に記載されている。この文献（２）は、タイヤの内面に装置を取付けるものであって、吸音材を備えたタイヤである。従って、本発明が意図する、「補強体を、少なくとも、外側サイドウォール部に取付ける構造と、内外側サイドウォール部の強化技術の達成」とは、全く異なる。
【０００７】
【特許文献１】特開２０１６−１４４９５５号公報
【特許文献２】特開２０１０−１８８７７９号公報
【発明の概要】
【発明が解決しようとする課題】
【０００８】
前述の文献（１）の構造は、タイヤの内面に必要とする器材を取付けることであり、明細書の〔０００３〕〜〔０００７〕に記載の不都合を無くし、〔０００８〕に記載の如く、タイヤの内部に、迅速かつ簡易に、タイヤ内デバイス固定装置を取付けることである。従って、前述の「補強体を、少なくとも、外側サイドウォール部に取付ける構造と、少なくとも、外側サイドウォール部の強化技術の達成」とは、構造と、目的とを異にし、かつ本発明の課題解決には成らない。
【０００９】
また、前述の文献（２）の構造は、タイヤの内面に必要とする器材を取付けることであり、明細書の〔０００４〕と〔０００６〕に記載の不都合を無くし、〔０００７〕に記載の如く、タイヤの内部に、吸音材の効果達成と、粘着強度向上が図れる取付け手段の提供である。従って、前述の「補強体を、少なくとも、外側サイドウォール部に取付ける構造と、少なくとも、外側サイドウォール部の強化技術の達成」とは、構造と、目的とを異にし、かつ本発明の課題解決には成らない。
【課題を解決するための手段】
【００１０】
上記に鑑み、本発明は、「イ」  少なくとも、外側サイドウォール部（内側、及び／又は、外側サイドウォール部）のみの強化技術であり、補強体は、少なくとも、車輌にタイヤを装着したままでも（取外したタイヤに装着することも可能である）、簡易、かつ瞬時に、タイヤ販売業者が、少なくとも、外側サイドウォール部のみに取付けでき、かつ低コストで行うことができる。また、本発明は、「ロ」  サイドウォール部のみの強化技術であって、内側、及び／又は、外側サイドウォール部と路面の砕石や突起物との接触による破損防止が図れる。さらに、本発明は、「ハ」  少なくとも、外側サイドウォール部のみのスチールコード部位でなる固定手段を介して、少なくとも、外側サイドウォール部に、補強体を取付けできる。
【００１１】
この「イ」〜「ハ」を達成するために、開示した請求項１〜請求項６を提案する。
【発明の効果】
【００１２】
請求項１の発明では、工事用・建機用・産業用・搬送用車輌のタイヤのサイドウォール部に補強ゴム板、補強鋼板、補強樹脂板でなる補強体を取付ける構造であって、
補強体に設けた磁性材でなる被固定手段と、
タイヤに配設された金属材でなる固定手段と、を備えており、
被固定手段を、固定手段に磁着し、少なくとも、外側サイドウォール部に取付けた補強体は、少なくとも、外側サイドウォール部のみを保護可能であることと、補強体は、車輌にタイヤを装着状態等でも、サイドウォール部の、少なくとも、外側に着脱可能とすることを特徴とした工事用・建機用・産業用・搬送用車輌のタイヤのサイドウォール部に補強体を取付ける構造である。
【００１３】
従って、請求項１においては、補強体は、車輌にタイヤを装着したままでも、簡易、かつ瞬時に、タイヤ販売業者が、少なくとも、外側サイドウォール部のみに取付けできて、かつ低コストで行うことのできる、少なくとも、外側サイドウォール部のみの強化技術となること、また、少なくとも、外側サイドウォール部と路面の砕石や突起物との接触による破損防止が図れる構造となること、さらに、少なくとも、外側サイドウォール部のカーカスを構成するスチールコードでなる固定手段を介して、少なくとも、外側サイドウォール部に補強体を取付けできる構造となること、等の特徴を発揮できる。
【００１４】
請求項２の発明では、固定手段は、タイヤのカーカス構成部材のスチールコードであって、少なくとも、外側サイドウォール部の箇所（部位）に配設する工事用・建機用・産業用・搬送用車輌のタイヤの、少なくとも、前記外側サイドウォール部に補強体を取付ける構造である。
【００１５】
従って、請求項２においては、車輌にタイヤを装着したままでも、タイヤのカーカスを構成するスチールコードを利用し、簡易に、しかもタイヤ販売業者が低コストで行うことのできる、少なくとも、外側サイドウォール部の強化技術となり、重宝することと、何人も、少なくとも、外側サイドウォール部の強化用の補強体を、簡易、かつスムースに、少なくしも、外側サイドウォール部に、取付け、かつ取外しできる。
【００１６】
請求項３の発明では、固定手段は、タイヤ内部のカーカス構成部材（カーカス）のスチールコードであって、タイヤのショルダー部、及び／又は、少なくとも、外側サイドウォール部の箇所（部位）に配設する工事用・建機用・産業用・搬送用車輌のタイヤの、少なくとも、外側サイドウォール部に補強体を取付ける構造である。
【００１７】
従って、請求項３においては、前記請求項２に準ずる。
【００１８】
請求項４の発明では、被固定手段は、補強体に設けたゴム磁石、又は金属磁石とする工事用・建機用・産業用・搬送用車輌のタイヤの、少なくとも、外側サイドウォール部に補強体を取付ける構造である。
【００１９】
従って、請求項４においては、既設のタイヤ内部のカーカス構成部材（カーカス）のスチールコードを利用し、少なくとも、外側サイドウォール部のみので、簡易に、しかもタイヤ販売業者が低コストで行うことのできる、少なくとも、外側サイドウォール部の強化技術となり有益である。
【００２０】
請求項５の発明では、被固定手段は、補強体の内側に設けたゴム磁石、又は金属磁石とする工事用・建機用・産業用・搬送用車輌のタイヤの、少なくとも、外側サイドウォール部に補強体を取付ける構造である。
【００２１】
従って、請求項５においては、前記請求項４に準ずる。
【００２２】
請求項６の発明では、被固定手段は、補強体の外側に設けたゴム磁石、又は金属磁石とする工事用・建機用・産業用・搬送用車輌のタイヤの、少なくとも、外側サイドウォール部に補強体を取付ける構造である。
【００２３】
従って、請求項６においては、前記請求項４に準ずる。
【図面の簡単な説明】
【００２４】
【図１−１】スチールコードを配設（埋設）したタイヤ（工事用・建機用のタイヤ）と、磁性材を一部に備えた外側サイドウォール部の補強体とを分解して示した一例の斜視図
【図１−２】スチールコードを配設したタイヤ（工事用・建機用のタイヤ）と、磁性材を一部に備えた内外側サイドウォール部の補強体とを分解して示した一例の斜視図
【図２−１】ラジアルタイヤのスチールコードの構造であり、タイヤの構造を分解して示した模式図であり、（イ）は要部の拡大模式図、（ロ）は全体の模式図
【図２−２】バイアスタイヤのスチールコードの構造であり、タイヤの構造を分解して示した模式図であり、（イ）は要部の拡大模式図、（ロ）は全体の模式図
【図２−３】タイヤのサイドウォール部のスチールコード（金属コード）の構造の一例を示した要部の断面模式図
【図２−４】タイヤのサイドウォール部のスチールコード（金属コード）の構造のその他の一例を示した要部の断面模式図
【図３−１】図２−１において、タイヤの接地面圧が均等の状態での一方側（タイヤの外側）の補強体とタイヤの撓みとの関係を示した断面模式図
【図３−２】図２−１において、タイヤの接地面圧が均等の状態での双方側（タイヤの内外側）の補強体とタイヤの撓みとの関係を示した断面模式図
【図３−３】図２−２において、タイヤの接地面圧が不均一の状態での一方側の補強体とタイヤの撓みとの関係を示した断面模式図
【図３−４】図２−２において、タイヤの接地面圧が不均一の状態での双方側の補強体とタイヤの撓みとの関係を示した断面模式図
【図４】補強体に磁性材を設ける各例で、その一方側（内外側サイドウォール部の一方側）を示した断面視した図であり、（イ）は補強体の裏面（内側）に磁性材を設けた図、（イ’）は（イ）の変更例であり、補強体の表面（外側）に非磁性材を設けた図、（ロ）は補強体の表面に磁性材を設けた図、（ハ）は補強体に貫設して磁性材を設けた図、（ニ）は補強体の周辺部に抱持して磁性材を設けた図、（ホ）は補強体の裏面（又は表面）の全体に磁性材を設けた図
【図５−１】補強体を、タイヤのホイールに取付ける一例を分解して示した斜視図
【図５−２】図５−１の装着状態を示した斜視図
【図６】補強体が磁性材を備えた（配設した）鋼材である一例の要部斜視図
【図７】補強体がワイヤ磁性材を配設した不織布である一例の要部斜視図
【図８】例えば、大型作業機械（ホイールローダー）に、本発明を採用した図
【発明を実施するための形態】
【００２５】
図１〜図５に示した、第１実施例〜第３実施例では、既設のタイヤと既設ホイール（一部加工「孔」）と、金属・磁性材を一部に備えた十文字形態の固定手段、被固定手段とを利用し、タイヤの内外側サイドウォール部に補強体を取付ける一例を説明する。
【００２６】
図１−１は、後述するように、タイヤＡの骨格の一部（タイヤＡのトレッド部）に繋がる、タイヤＡの外側（一面）の外側サイドウォール部１０１（図面において左（外側））に補強体５を設ける一例の分解斜視図である。また、図１−２は、後述するように、タイヤＡのトレッド部に繋がる、タイヤＡの内外側（両面）の内外側サイドウォール部１０２（図面において左右（外内側））に補強体５を、それぞれ設ける（以下、設けると云う）一例の分解斜視図である。
【００２７】
図２−１（イ）、（ロ）に示したタイヤＡは、例えば、タイヤＡの骨格は、トレッド部、両ショルダー部と、内外側サイドウォール部１０２、並びに両ビード部でなっている。そして、タイヤＡの両内輪端部（ビード部の端部）には、ビードワイヤ１００、１００ａ（以下、原則として、１００とする）が配設（埋設）されるとともに、タイヤＡ全体には、補強用でカーカス構成部材となるスチールコード２（固定手段の一種）が、周方向Ｘにおいて、直交するよう（トレッド面方向Ｙ）に配設されているラジアルタイヤ１である。また、図示しないが、トレッド部に、固定手段の一種となり得るスチールベルト３が複数枚配設されている場合は、スチールベルト３は、例えば、タイヤＡのショルダー部を介して、サイドウォール部１０１に延長された構造とすることで、固定手段の一種となり得る。従って、このスチールベルト３には、スチールコード素材（スチールコード２と同じもの）が、例えば、周方向Ｘに直交するように配設されている。
【００２８】
図２−２（イ）、（ロ）に示したタイヤＡには、前述と同じように、スチールコード２が備えられている。この例は、バイアスタイヤ１０であり、タイヤＡの骨格は、トレッド部、両ショルダー部と、内外側サイドウォール部１００２ａ、１００２、並びに両ビード部でなっている。スチールコード２（前述と同じ）が、周方向Ｘにおいて、バイアス形状Ｚに配設されている。尚、図中１０００、１０００ａはビードワイヤであり、タイヤＡの骨格材である。ビードワイヤ１０００、１０００ａ（以下、原則として、１０００とする）は、前述と同様に配備されている（以下、原則として、１０００とする）。
【００２９】
また、図２−３、図２−４に示したタイヤＡには、タイヤＡの片方（双方有り）の内輪端部（ビード部の端部）には、ビードワイヤ１００が配設（埋設）されるとともに、タイヤＡ全体には、補強用でカーカス構成部材となるスチールコード２００（固定手段の一種）が配設等されている。例えば、この例では、図２−３の一重構造と、図２−４の二重構造とであり、スチールコード２００入りタイヤＡであり、タイヤＡの骨格となるビードワイヤ１００の周方向Ｘは、スチールコード２００が、多数本配設（一連形態に配設）されている。
【００３０】
図３−１は、図２−１に示したラジアルタイヤ１であり、補強体５を、タイヤＡの外側のサイドウォール部１０２ａに取付けた状態で、接地面圧が均等であることを示しており、スチールベルト３を重層して補強したことの効果である。但し、サイドウォール部１０１（内外側サードウォール部１０２）は、荷重で膨出撓み現象を呈する。図３−２は、後述するが、補強体５を、タイヤＡの内外側サイドウォール部１０２に取付けた状態で、この補強体５も、ラジアルタイヤ１の撓みに順応することが特徴である。
【００３１】
図３−３は、図２−２に示したバイアスタイヤ１０であり、補強体５を、タイヤＡの外側のサイドウォール部１００２ａに取付けた状態で、接地面圧が不均等であることを示しており、スチールコード２をバイアス形状Ｚにしたことの効果である。但し、サイドウォール部１００１（内外側サードウォール部１００２）は、荷重で膨出撓み現象を呈する。図３−４は、後述するが、補強体５を、タイヤＡの内外側サイドウォール部１００２ａ、１００２に取付けた状態で、この補強体５も、バイアスタイヤ１０の撓みに順応することが特徴である。
図４は補強体５に磁性材６（被固定手段の一種）を設ける各例を示した断面視した図である。そこで、好ましい、各例を順に説明する。（イ）は、補強体５の裏面５ａであって、周方向Ｘに適宜間隔で、複数個、或いは一連の環状に磁性材６を設ける（以下周方向Ｘに適宜間隔とする、）。そして、補強体５の周辺端部５ｃから中心方向Ｑに向かった内部位５ｃ１に設けてあり、補強体５の撓みは、内外側サイドウォール部１０２・１００２（以下、１０２とする）の撓みに同期できる構造とする。（イ’）は、（イ）の変形例であり、補強体５、及び／又は、磁性材６への金属片の取付けを回避するために、表面５ｂに非磁性材５００を取付ける構造である。（ロ）は、補強体５に表面５ｂで、かつ補強体５の内部位５ｃ１に、周方向Ｘに適宜間隔に磁性材６を設ける例であり、補強体５の撓みは、内外側サイドウォール部１０２の撓みに同期できる構造とする。（ハ）は、補強体５の表裏面５ｂ、５ａで、かつ内部位５ｃ１に、周方向Ｘに適宜間隔で、複数個の磁性材６を設ける。併せて、補強体５の撓みと、内外側サイドウォール部１０２の撓みに同期できる構造とする。（ニ）は、補強体５の周辺端部５ｃであって、その表裏面５ｂ、５ａに、周方向Ｘに適宜間隔で、複数個の磁性材６を設ける。補強体５の捲れ防止と、補強体５の撓みは、内外側サイドウォール部１０２の撓みに同期できる構造とする。尚、（ホ）は、補強体５の裏面５ａ（又は表面５ｂ）の略全体に磁性材６を設ける。併せて、補強体５の撓みは、内外側サイドウォール部１０２の撓みに同期できる構造とする。補強体５は、ゴム、布、不織布等の新材と、古タイヤ（使用済みタイヤであり、図示せず）のサイドウォール部をカットして、再利用することも可能である。補強体５の形状は、環状、円盤形状、ドーナツ形状、曲面環状の集合体環状、一部の環状の組合せ形状等の何れでも可能である。また、補強体５に広告文字、その他の文字、図柄等の伝達感覚とか美的感覚等を付すこともできる。ＬＥＤ等の照明を付すことも可能である。
【００３２】
図５−１は、補強体５を、タイヤＡのホイール７に取付ける一例を分解して示した斜視図である。そして、この例では、補強体５の内側に、例えば、一つか、又は複数の脚５０（脚５０の代替品として、補強材５に、一体となる内鍔部、延設部、窪み片等とか、他の部材による内鍔部、延設部、窪み片等を含む）を形成し、この脚５０に被固定手段（磁性材６）を設けることで、取付け、又は取外しができる（着脱可能である）。そして、この例において、補強材５を、内側サイドウォール部（１０２ａ）、（１００２ａ）に取付ける例では、補強体５は分離構造とすることが望ましい。図５−２は、図５−１の装着状態である。
【００３３】
図６は、補強体５が磁性材６を備えた鋼材である一例を示している。図７は、補強体５がワイヤ等の線材、又は板材等の磁性材６を配設した不織布である一例を示しているが、何れも一例である（磁性材６の形態は、他の例も同じ）。
【００３４】
以下、補強体５を、内外側サイドウォール部１０２に取付け、内外側サイドウォール部１０２を保護するには、例えば、補強体５の磁性材６（被固定手段）を、内外側サイドウォール部１０２のスチールコード２、２００（固定手段）に磁着することで可能となる。そして、前述の如く、補強体５の撓みと、内外側サイドウォール部１０２の撓みに同期できる構造とする。補強体５、及び／又は、タイヤＡの保護と、動き、或いは騒音発生回避等が確保できる。
【００３５】
尚、図８は、例えば、大型作業機械（ホイールローダー）に、本発明を採用したものを示した図であるが、限定されない。
【００３６】
尚、補強体５を、内外側サイドウォール部１０２、即ち、内側のサイドウォール部１０２ｂ、１００２ｂ、及び／又は、外側のサイドウォール部１０２ａ、１００２ａに取付ける。そして、主として、外側サイドウォール部１０２ａ（１００２ａ）のみの例であるが、内側のサイドウォール部１０２ｂ（１００２ｂ）のみの例も有り得る。さらには、内外側サードウォール部１０２（１００２）の両側という完全型の例も有り得る。使用する場所と、取扱い廃材・製品等により、それぞれ区別して、かつ容易に取付ができる。
【００３７】
前述した各実施例は、本発明の好ましい一例の説明である。そして、タイヤＡにある金属材料とか、ホイール７の金属材料とか、又は新たに、タイヤＡ等に設ける金属材料等を有効活用した構造である。従って、本発明は前述した各実施例に限定されるものではなく、発明の趣旨の範囲において構成の一部を変更する構造とか、同じ特徴と効果を達成できる構造、等は、本発明の範疇である。
【符号の説明】
【００３８】
Ａ  タイヤ
１  ラジアルタイヤ
１００  ビードワイヤ（ケーシング）
１００ａ  ビードワイヤ（ケーシング）
１０１  サイドウォール部
１０２  内外側サイドウォール部
１０２ａ  外側のサイドウォール部
１０２ｂ  内側のサイドウォール部
１０  バイアスタイヤ
１０００  ビードワイヤ（ケーシング）
１０００ａ  ビードワイヤ（ケーシング）
１００１  サイドウォール部
１００２  内外側サイドウォール部
１００２ａ  外側のサイドウォール部
１００２ｂ  内側のサイドウォール部
２  スチールコード（固定手段）
２００  スチールコード（固定手段）
３  スチールベルト（固定手段）
５  補強体
５ａ  裏面
５ｂ  表面
５ｃ  周辺端部
５ｃ１  内部位
５０  脚
５００  非磁性材
６  磁性材（被固定手段）
７  ホイール
Ｑ  中心方向
Ｘ  周方向
Ｙ  トレッド面方向
Ｚ  バイアス形状
【図１−１】
2018070051.tif 000003
【図１−２】
2018070051.tif 000004
【図２−１】
2018070051.tif 000005
【図２−２】
2018070051.tif 000006
【図２−３】
2018070051.tif 000007
【図２−４】
2018070051.tif 000008
【図３−１】
2018070051.tif 000009
【図３−２】
2018070051.tif 000010
【図３−３】
2018070051.tif 000011
【図３−４】
2018070051.tif 000012
【図４】
2018070051.tif 000013
【図５−１】
2018070051.tif 000014
【図５−２】
2018070051.tif 000015
【図６】
2018070051.tif 000016
【図７】
2018070051.tif 000017
【図８】
2018070051.tif 000018